(57)【要約】ページにおける操作に対応する１以上のフィードバック種類の１以上のフィードバック種類パラメータ及びページ構築データが、抽出され予め記憶される。ページにおける異なる操作に対応する実時間操作のための１以上のフィードバックページが、ページにおける操作に対応するフィードバック種類のフィードバック種類パラメータ及びページ構築データに従って、同じフィードバックページテンプレートを使用することによって、構築される。基本操作ページにおける１以上の選択された操作項目が、取得される。実時間操作のためのそれらの対応するフィードバックページが、起動され表示される。１以上の選択された操作項目及びそれらの対応するフィードバック領域が、実時間操作のためのフィードバックページにおいて再びロードされる。本技術は、異なる操作フィードバック種類に基づいて、実時間操作のための均一で一致したフィードバックページを構築して、良好な対話の期待がある。
2016518655.tif 000002
【特許請求の範囲】
【請求項１】
ページにおける１以上の操作に対応する１以上のフィードバック種類の１以上のフィードバック種類パラメータ及びページ構築データを抽出して予め記憶することと、
前記ページにおける前記操作に対応する前記フィードバック種類の前記フィードバック種類パラメータ及び前記ページ構築データに従って、フィードバックページテンプレートを使用することによって、前記ページにおける前記操作に対応する実時間操作のための１以上のフィードバックページを構築することと、
基本操作ページにおける選択された操作項目を取得することと、
実時間操作のための対応するフィードバックページを起動して表示することと、
前記実時間操作のための対応するフィードバックページにおける前記選択された操作項目及び対応するフィードバック領域を再びロードすることと、を含む、方法。
【請求項２】
前記実時間操作のための対応するフィードバックページを前記起動して表示することが、端末デバイスの有効表示領域を参照することによって前記有効表示領域内に及び前記端末デバイスにおいて操作するのに適した操作手法で、前記実時間操作のための対応するフィードバックページを表示することを含む、請求項１に記載の前記方法。
【請求項３】
前記端末デバイスにおいて操作するのに適した前記操作手法が、前記端末デバイスの前記有効領域が上から下へのビューに表示されるときに、前記有効表示領域の下部から前記有効表示領域の上部に前記実時間操作のための対応するフィードバックページをポップアップすることを含む、請求項２に記載の前記方法。
【請求項４】
前記基本操作ページが、ステータスバー、ページタイトルまたはナビゲーション領域、ページコンテンツ領域、及びページ操作領域を含み、
前記選択された操作項目が、前記基本操作ページの前記ページコンテンツ領域内にロードされる、請求項１に記載の前記方法。
【請求項５】
前記実時間操作のための対応するフィードバックページにおいて前記選択された操作項目及び前記対応するフィードバック領域を前記再びロードすることが、
前記実時間操作のためのフィードバックページ内にマスクをロードすることと、
前記選択された操作項目と前記対応するフィードバック領域との間の対応する関係を示すことと、を含む、請求項１に記載の前記方法。
【請求項６】
前記示すことが、色調整手法を通して前記選択された操作項目を強調することを含む、請求項５に記載の前記方法。
【請求項７】
前記示すことが、前記対応するフィードバック領域の色と一致する前記選択された操作項目の色を作製することを含む、請求項５に記載の前記方法。
【請求項８】
前記マスクを前記ロードすることが、
前記選択された操作項目の位置情報、前記ページにおける前記操作に対応する前記フィードバック種類の前記フィードバック種類パラメータ及び前記ページ構築データを決定することと、
前記マスクのレイアウトを取得することと、を含む、請求項５に記載の前記方法。
【請求項９】
前記マスクを異なる領域に分割することを更に含み、その異なる領域において、前記選択された操作項目及び前記対応するフィードバック領域がそれぞれロードされる、請求項８に記載の前記方法。
【請求項１０】
前記再びロードすることが、
前記フィードバック領域が前記実時間操作のためのフィードバックページ内に位置する領域と、前記選択された操作項目が前記実時間操作のためのフィードバックページ内に位置する領域との間の間隔が、予め決定されたマスク間隔値以上であるときに、前記フィードバック領域及び前記選択された操作項目の実際の領域にそれぞれ従って、ローディングを実行することを含む、請求項１に記載の前記方法。
【請求項１１】
前記再びロードすることが、
前記フィードバック領域が前記実時間操作のためのフィードバックページ内に位置する前記領域と、前記選択された操作項目が前記実時間操作のためのフィードバックページ内に位置する前記領域との間の前記間隔が、前記予め決定されたマスク間隔値よりも小さいときに、前記フィードバック領域が、実際のページサイズ要求に従って拡張されるように、前記実時間操作のためのフィードバックページ内の前記選択された操作項目及び前記対応するフィードバック領域の前記領域を有効表示領域の下部から上部に拡張する方向に再び調整することを含む、請求項１に記載の前記方法。
【請求項１２】
前記再び調整することの後に、前記予め決定されたマスク間隔値として、前記選択された操作項目が前記実時間操作のためのフィードバックページ内に位置する前記領域と、前記対応するフィードバック領域が前記実時間操作のためのフィードバックページ内に位置する前記領域との間の前記間隔を維持することを更に含む、請求項１１に記載の前記方法。
【請求項１３】
前記選択された操作項目が前記実時間操作のためのフィードバックページ内に位置する前記領域と、前記対応するフィードバック領域が前記実時間操作のためのフィードバックページ内に位置する前記領域とを、互いに直接隣接して配置することを更に含む、請求項１１に記載の前記方法。
【請求項１４】
前記ページにおける前記操作に対応する前記フィードバック種類の前記フィードバック種類パラメータが、ページフレームの定義及びページコンテンツの定義を含み、
前記ページ構築データが、前記ページコンテンツの容量を含む、請求項１に記載の前記方法。
【請求項１５】
前記ページにおける前記操作に対応する前記フィードバック種類が、以下の、
選択操作フィードバック種類、
入力操作フィードバック種類、
拡張操作フィードバック種類、及び
二重確認操作フィードバック種類のうちの１つ、またはそれらの任意の組み合わせを含み得る、請求項１に記載の前記方法。
【請求項１６】
ページにおける１以上の操作に対応する１以上のフィードバック種類の１以上のフィードバック種類パラメータ及びページ構築データを抽出して予め記憶する抽出モジュールと、
前記ページにおける前記操作に対応する前記フィードバック種類の前記フィードバック種類パラメータ及び前記ページ構築データに従って、フィードバックページテンプレートを使用することによって、前記ページにおける前記操作に対応する実時間操作のための１以上のフィードバックページを構築する構築モジュールと、
基本操作ページにおける選択された操作項目を取得して、実時間操作のための対応するフィードバックページを起動して表示して、前記実時間操作のための対応するフィードバックページにおける前記選択された操作項目及び対応するフィードバック領域を再びロードする、中央処理モジュールと、を備える、装置。
【請求項１７】
前記実時間操作のためのフィードバックページ内にマスクをロードして、前記選択された操作項目の位置情報、前記ページにおける前記操作に対応する前記フィードバック種類のフィードバック種類パラメータ及びページ構築データを決定して、前記マスクのレイアウトを取得するマスクローディングモジュールを更に備える、請求項１６に記載の前記装置。
【請求項１８】
前記マスクローディングモジュールが、前記ロードされたマスクの前記レイアウトを取得した後に、前記マスクを異なる領域に分割して、その異なる領域において、前記選択された操作項目及び前記選択された操作項目の前記対応するフィードバック領域が、それぞれロードされる、請求項１７に記載の前記装置。
【請求項１９】
前記中央処理モジュールが、端末デバイスの有効表示領域を参照することによって前記有効表示領域内に及び前記端末デバイスにおいて操作するのに適した操作手法で、前記実時間操作のための対応するフィードバックページを更に表示して、
前記端末デバイスにおいて操作するのに適した前記操作手法が、前記端末デバイスの前記有効領域が上から下へのビューに表示されるときに、前記有効表示領域の下部から前記有効表示領域の上部に前記実時間操作のための対応するフィードバックページをポップアップすることを含む、請求項１７に記載の前記装置。
【請求項２０】
１以上のコンピュータ記憶媒体であって、
ページにおける１以上の操作に対応する１以上のフィードバック種類の１以上のフィードバック種類パラメータ及びページ構築データを抽出して予め記憶することと、
前記ページにおける前記操作に対応する前記フィードバック種類の前記フィードバック種類パラメータ及び前記ページ構築データに従って、フィードバックページテンプレートを使用することによって、前記ページにおける前記操作に対応する実時間操作のための１以上のフィードバックページを構築することと、
基本操作ページにおける選択された操作項目を取得することと、
実時間操作のための対応するフィードバックページを起動して表示することと、
前記実時間操作のための対応するフィードバックページにおける前記選択された操作項目及び対応するフィードバック領域を再びロードすることと、を含む、操作を実行するための１以上のプロセッサによって実行可能なコンピュータで実行可能な命令が、その上に記憶された、前記１以上のコンピュータ記憶媒体。
【発明の詳細な説明】
【技術分野】
【０００１】
本開示は、人間と機械の対話の分野に関するものであり、より詳細には、人間と機械の対話型の操作におけるフィードバックのための方法及び装置に関するものである。
【０００２】
関連特許出願の相互参照
この出願は、２０１３年４月３日に出願され、「Ｍｅｔｈｏｄ  ａｎｄ  Ａｐｐａｒａｔｕｓ  ｆｏｒ  Ｆｅｅｄｂａｃｋ  ｉｎ  Ｈｕｍａｎ−Ｍａｃｈｉｎｅ  Ｉｎｔｅｒａｃｔｉｖｅ  Ｏｐｅｒａｔｉｏｎ」と題された、中国特許出願第２０１３１０１１６４１６．５号に対する外国優先権を主張するものであり、その中国特許出願は、それの全体が参照によって本明細書に組み込まれる。
【背景技術】
【０００３】
手持ち式デバイスにおいて、表示ページは、ユーザのメインタスクの操作フローに基づく以下の種類のフィードバック操作を主に含む。フィードバック操作の種類は、フォームページ（ｆｏｒｍ  ｐａｇｅ）における選択操作のためのフィードバック、フォームページにおける入力操作のためのフィードバック、システムフレームの下部ツールバーにおける拡張操作のためのフィードバック、例えば削除などの深刻なまたは不可逆的な結果につながり得る二重確認操作のためのフィードバック、及び次のページに移動するために１つの項目をクリックするための従来型の操作のためのフィードバックを含む。
【０００４】
しかしながら、異なるフィードバック操作は、それらのそれぞれのページフレーム及びページコンテンツ定義があり、それ故、一般に、異なる人間と機械の対話型のインターフェースを有しており、異なる人間と機械の対話型のフィードバックを生成する。例えば、異なる操作フィードバックが、ページ内の異なる位置に出現し得、それは、メインタスクのフローシーケンスにおける操作のフィードバックについてのユーザの期待を混乱させる。例えば、手持ち式デバイスにおける選択操作のフィードバックに関して、通常、スピナー制御項目によって達成される選択のためのダイアログボックスにおいて多数の選択可能な項目がある。ページの下部におけるツールバーがクリックされると、操作パネルは、ページの中央または下部からポップアップすることになり、それにおいて、選択のための多数の操作項目がある。別の実施例は、インプットメソッドエディタ（ＩＭＥ）のための入力操作のフィードバックである。ＩＭＥキーボードは、ページ上の特定の入力フィールドがクリックされると、ページの下部からポップアップすることになる。
【０００５】
それ故、従来型のフィードバック操作は、フィードバックを表示するための異なる方法を有する。加えて、従来型の技術は、フィードバック操作をトリガする操作項目と、フィードバックページとの間の対応する関係に欠ける。従来型の技術は、良好な対話的な期待に欠ける。
【発明の概要】
【０００６】
この発明の概要は、発明を実施するための形態において以下に更に記載される簡略化された形式で概念の選択を導入するために提供される。この発明の概要は、特許請求された主題の全ての重要な特徴または本質的な特徴を特定することを意図されるものではないし、特許請求された主題の範囲を決定する際の助けとして単独で使用されることを意図されるものでもない。用語「技術」は、例えば、上記文脈によって及び本開示全体を通して許容されるような（複数の）装置、（複数の）システム、（複数の）方法及び／またはコンピュータで読み取り可能な命令のことを言い得る。本技術は、指示（ｄｉｒｅｃｔｉｏｎ）技術における結果の相違性を改善する。
【０００７】
本開示は、人間と機械の対話型の操作におけるフィードバックのための方法及び装置を提供する。
【０００８】
ページにおける操作に対応する１以上のフィードバック種類の１以上のフィードバック種類パラメータ及びページ構築データが、抽出され予め記憶される。ページにおける異なる操作に対応する実時間操作のための１以上のフィードバックページが、ページにおける操作に対応するフィードバック種類のフィードバック種類パラメータ及びページ構築データに従って、同じフィードバックページテンプレートを使用することによって、構築される。
【０００９】
基本操作ページにおける１以上の選択された操作項目が、取得される。実時間操作のためのそれらの対応するフィードバックページが、起動され表示される。１以上の選択された操作項目及びそれらの対応するフィードバック領域が、実時間操作のためのフィードバックページに再びロードされる。
【００１０】
本開示の実施形態例において、実時間操作のための対応するフィードバックページが起動され表示されるときに、実時間操作のためのフィードバックページが、端末デバイスの有効表示領域を参照することによって有効表示領域内に及びユーザが端末デバイスにおいて操作するのに適した適切な操作手法で、表示される。
【００１１】
本開示の実施形態例において、端末デバイスの有効領域が、上から下へのビューに表示されるときに、ユーザが端末デバイスにおいて操作するのに適した適切な操作手法は、以下を含み得る。実時間操作のための対応するフィードバックページが、有効表示領域の下部から有効表示領域の上部にポップアップすることによって表示される。
【００１２】
本開示の実施形態例において、基本操作ページが、ステータスバー、ページタイトル／ナビゲーション領域、ページコンテンツ領域、及びページ操作領域を含み得る。１以上の選択された操作項目は、基本操作ページのページコンテンツ領域にロードされる。
【００１３】
本開示の実施形態例において、１以上の選択された操作項目及び対応するフィードバック領域が再びロードされるときに、それらが、実時間操作のためにフィードバックページ内にマスクをロードすることによって再びロードされて、選択された操作項目と対応するフィードバック領域との間の対応する関係を示す。
【００１４】
本開示の実施形態例において、選択された操作項目は、色調整手法で強調され得る。あるいは、選択された操作項目及びそれの対応するフィードバック領域は、一致した色を有し得、選択された操作項目と対応するフィードバック領域との間の対応する関係を示す。
【００１５】
本開示の実施形態例において、マスクが、実時間操作のためのフィードバックページ内にロードされるときに、ロードされたマスクのレイアウトが、選択された操作項目の位置情報、ページにおける操作に対応するフィードバック種類のフィードバック種類パラメータ及びページ構築データを決定することによって、取得される。
【００１６】
本開示の実施形態例において、ロードされたマスクのレイアウトが取得された後、マスクは、異なる領域に分割されて、その異なる領域において、選択された操作項目及び選択された操作項目の対応するフィードバック領域が、それぞれロードされる。
【００１７】
本開示の実施形態例において、フィードバック領域が実時間操作のためのフィードバックページ内に位置する領域と、選択された操作項目が実時間操作のためのフィードバックページ内に位置する領域との間の間隔が、予め決定されたマスク間隔値以上であるときに、ローディングプロセスが、フィードバック領域及び選択された操作項目の実際の領域にそれぞれ従って、実行される。そうではない場合、実時間操作のためのフィードバックページ内の選択された操作項目及び対応するフィードバック領域のそれらの領域は、フィードバック領域が、実際のページサイズ要求に従って拡張されるように、有効表示領域の下部から上部に拡張する方向に再び調整される。それ故、そのような再調整は、予め決定されたマスク間隔値として、再調整後に、選択された操作項目が実時間操作のためのフィードバックページ内に位置する領域と、対応するフィードバック領域が実時間操作のためのフィードバックページ内に位置する領域との間の間隔を維持し得る。あるいは、そのような再調整は、選択された操作項目が実時間操作のためのフィードバックページ内に位置する領域と、対応するフィードバック領域が実時間操作のためのフィードバックページ内に位置する領域とが、互いに直接隣接することをもたらし得る。
【００１８】
本開示の実施形態例において、ページにおける操作に対応するフィードバック種類のフィードバック種類パラメータは、ページフレームの定義及びページコンテンツの定義を含み得る。ページ構築データは、ページコンテンツの容量を含み得る。
【００１９】
本開示の実施形態例において、ページにおける操作に対応するフィードバック種類が、以下、すなわち、選択操作フィードバック種類、入力操作フィードバック種類、拡張操作フィードバック種類、及び二重確認操作フィードバック種類のうちの１つ、またはそれらの任意の組み合わせを含み得る。
【００２０】
本開示はまた、人間と機械の対話型の操作におけるフィードバックのための装置を提供する。その装置は、抽出モジュール、構築モジュール、及び中央処理モジュールを含み得る。
【００２１】
抽出モジュールは、ページにおける操作に対応する１以上のフィードバック種類の１以上のフィードバック種類パラメータ及びページ構築データを抽出して予め記憶する。
【００２２】
構築モジュールは、ページにおける操作に対応するフィードバック種類のフィードバック種類パラメータ及びページ構築データに従って、同じフィードバックページテンプレートを使用することによって、ページにおける異なる操作に対応する実時間操作のための１以上のフィードバックページを構築する。
【００２３】
中央処理モジュールは、基本操作ページにおける１以上の選択された操作項目を取得して、実時間操作のためのそれらの対応するフィードバックページを起動して表示して、実時間操作のためのフィードバックページにおける１以上の選択された操作項目及びそれらの対応するフィードバック領域を再びロードする。
【００２４】
本開示の実施形態例において、装置は、マスクローディングモジュールであって、実時間操作のためのフィードバックページ内にマスクをロードして、選択操作項目及びそれの対応するフィードバック領域を再びロードして、選択された操作項目の位置情報、ページにおける操作に対応するフィードバック種類のフィードバック種類パラメータ及びページ構築データを決定して、ロードされたマスクのレイアウトを取得する、マスクローディングモジュールを更に含み得る。
【００２５】
本開示の実施形態例において、マークローディングモジュールは、ロードされたマスクのレイアウトが取得された後、マスクを異なる領域に分割して、その異なる領域において、選択された操作項目及び選択された操作項目の対応するフィードバック領域が、それぞれロードされる。
【００２６】
本開示の実施形態例において、中央処理モジュールは、実時間操作のための対応するフィードバックページが起動され表示されるときに、端末デバイスの有効表示領域を参照することによって有効表示領域内に及びユーザが端末デバイスにおいて操作するのに適した適切な操作手法で、実時間操作のためのフィードバックページを表示する。端末デバイスの有効領域が、上から下へのビューに表示されるときに、ユーザが端末デバイスにおいて操作するのに適した適切な操作手法が、以下を含み得る。実時間操作のための対応するフィードバックページが、有効表示領域の下部から有効表示領域の上部にポップアップすることによって表示される。
【００２７】
本開示の実施形態例において、中央処理モジュールは、フィードバック領域が実時間操作のためのフィードバックページ内に位置する領域と、選択された操作項目が実時間操作のためのフィードバックページ内に位置する領域との間の間隔が、予め決定されたマスク間隔値以上であるときに、フィードバック領域及び選択された操作項目の実際の領域にそれぞれ従って、ローディングプロセスを実行する。そうではない場合、中央処理モジュールは、フィードバック領域が、実際のページサイズ要求に従って拡張されるように、有効表示領域の下部から上部に拡張する方向に、実時間操作のためのフィードバックページ内の選択された操作項目及び対応するフィードバック領域のそれらの領域を再調整する。それ故、そのような再調整は、再調整後、予め決定されたマスク間隔値として、選択された操作項目が実時間操作のためのフィードバックページ内に位置する領域と、対応するフィードバック領域が実時間操作のためのフィードバックページ内に位置する領域との間の間隔を維持し得る。あるいは、そのような再調整は、選択された操作項目が実時間操作のためのフィードバックページ内に位置する領域と、対応するフィードバック領域が実時間操作のためのフィードバックページ内に位置する領域とが、互いに直接隣接することをもたらし得る。
【００２８】
本技術は、ページにおける操作に対応するフィードバック種類のフィードバック種類パラメータ及びページ構築データを抽出して予め記憶して、同じフィードバックページテンプレートを使用して、ページにおける操作に対応するフィードバック種類のフィードバック種類パラメータ及びページ構築データにそれぞれ従って、ページにおける様々な操作に対応する実時間操作のためのフィードバックページを構築する。本技術は、異なる操作フィードバック種類に基づいて、実時間操作のための均一で一致したフィードバックページを構築して、実時間操作のためのフィードバックページにおける選択された操作項目及び対応するフィードバック領域を再びロードする。したがって、ユーザが操作項目を操作するときに、本技術は、実時間操作のための現在のフィードバックページに基づいて、人間と機械の対話を達成し得る。本技術は、異なるフィードバック種類によって定義された異なるフィードバックページに調整すること無く良好な対話的な期待があり、対話の挙動を連続的に調整し得る。
【００２９】
図面は、本開示の例示を提供するために使用され、それ故、本開示の一部である。例示的な実施例及びそれらの説明は、本開示を例示するために使用されるものであり、本開示を限定するために使用されるべきではない。
【図面の簡単な説明】
【００３０】
【図１】本開示の第１の実施形態例に従って人間と機械の対話型の操作におけるフィードバックのための方法例を例示するフローチャートである。
【図２】上から下へのビューに表示された基本操作ページ例を例示する概略図である。
【図３】本開示の第２の実施形態例に従ってマスクをロードするプロセス例を例示するフローチャートである。
【図４】基本操作ページ例を例示する概略図である。
【図５】実時間操作のためのフィードバックページ例を例示する概略図である。
【図６】本開示の第３の実施形態例に従ってマスクをロードするプロセス例を例示するフローチャートである。
【図７】実時間操作のための別のフィードバックページ例を例示する概略図である。
【図８】本開示の第４の実施形態例に従って人間と機械の対話型の操作におけるフィードバックのための装置例を例示する図である。
【図９】本開示の第５の実施形態例に従って人間と機械の対話型の操作におけるフィードバックのための装置例を例示する図である。
【発明を実施するための形態】
【００３１】
以下の記載は、添付の図面と実施形態例を参照して本開示を説明し、どのように本開示を専門的技術に適用して、技術的問題を解決して、技術的効果を達成して、本技術の実施態様を理解するのに役立つかを例示する。
【００３２】
本技術は、ページにおける操作に対応するフィードバック種類のフィードバック種類パラメータ及びページ構築データを抽出して予め記憶して、同じフィードバックページテンプレートを使用して、ページにおける操作に対応するフィードバック種類のフィードバック種類パラメータ及びページ構築データにそれぞれ従って、ページにおける様々な操作に対応する実時間操作のためのフィードバックページを構築する。本技術は、異なる操作フィードバック種類に基づいて、実時間操作のための均一で一致したフィードバックページを構築して、実時間操作のためのフィードバックページにおける選択された操作項目及び対応するフィードバック領域を再びロードする。したがって、ユーザが操作項目を操作するときに、本技術は、実時間操作のための現在のフィードバックページに基づいて、人間と機械の対話を達成し得る。本技術は、異なるフィードバック種類によって定義された異なるフィードバックページに調整すること無く良好な対話的な期待があり、対話の挙動を連続的に調整し得る。
【００３３】
図１は、本開示の第１の実施形態例に従って人間と機械の対話型の操作におけるフィードバックのための方法例を例示するフローチャートである。
【００３４】
１０２で、ページにおける操作に対応する１以上のフィードバック種類の１以上のフィードバック種類パラメータ及びページ構築データが、抽出され予め記憶される。
【００３５】
実施形態例において、ページにおける操作に対応するフィードバック種類のフィードバック種類パラメータは、限定されるものではないが、ページフレームの定義及びページコンテンツの定義を含み得る。ページ構築データは、ページコンテンツの容量を含み得る。ページフレームの定義は、ページが、異なるコンテンツ、例えば、操作項目と、それの対応するサブの操作項目との間の表示位置関係などを表示するレイアウトのことを言う。ページコンテンツの定義は、操作項目と対応するサブの操作項目との位置関係に従って定義されるページ内のトリガ領域を示し得る。ページ構築データは、例えば、多数のサブの操作項目、コンテンツ入力領域における許容できる入力文字の最大数、インプットメソッドエディタ（ＩＭＥ）キーボードの高さなどであり得る。
【００３６】
実施形態例において、ページにおける操作に対応するフィードバック種類が、以下、すなわち、選択操作フィードバック種類、入力操作フィードバック種類、拡張操作フィードバック種類、及び二重確認操作フィードバック種類のうちの１つ、またはそれらの任意の組み合わせを含み得る。
【００３７】
上記したように、選択操作フィードバック種類は、例えば、操作項目が起動されるときに、現在の操作を続けるか取り止める選択肢をユーザに提供することである。入力操作フィードバック種類は、例えば、ユーザがＩＭＥのための選択肢を起動するときに、コンテンツをフィードバック領域内に入力することである。拡張操作フィードバック種類は、一般に、システムフレームの下部におけるツールバーに基づいて処理される。二重確認操作フィードバック種類は、ユーザが現在の選択された操作項目を実行することを最終的に決断するかどうかを決定することである。それ故、異なるフィードバック種類は、ユーザフィードバックのための異なるプロセスを有する。
【００３８】
１０４で、ページにおける異なる操作に対応する実時間操作のための１以上のフィードバックページが、ページにおける操作に対応するフィードバック種類のフィードバック種類パラメータ及びページ構築データに従って、同じフィードバックページテンプレートを使用することによって、構築される。
【００３９】
１０６で、基本操作ページにおける１以上の選択された操作項目が、取得される。実時間操作のためのそれらの対応するフィードバックページが、起動され表示される。１以上の選択された操作項目及びそれらの対応するフィードバック領域が、実時間操作のためのフィードバックページにおいて再びロードされる。
【００４０】
実施形態例において、基本操作ページが、限定されるものではないが、ステータスバー、ページタイトル／ナビゲーション領域を含み得るヘッダ、ページコンテンツ領域を含み得るコンテンツ、及びページ操作領域を含み得るフッタを含み得る。選択された操作項目が、基本操作ページのページコンテンツ領域内にロードされる。ステータスバーは、端末において操作項目に対応するコンテンツが、現在、操作状態にあることを主に示す。ページのタイトル、タブ、またはナビゲーションは、通常、タイトル／ナビゲーション領域において設定され、それの主な技術的機能は、ページをナビゲートすることである。ページコンテンツ領域は、ページの有効表示領域、例えば、特定の操作項目に対応するサブの操作項目のトリガ領域などのことを言う。ページ操作領域またはフッタは、例えば、現在のページを取り止めるか、または現在のページの前のレベルのページに戻るかどうかなどのような、基本操作ページを操作する定義領域である。
【００４１】
基本操作ページは、ステータスバー、ページタイトル／ナビゲーション領域、ページコンテンツ領域、及びページ操作領域を含み得るが、基本操作ページは、ページが具体的に定義されるときに有効表示領域に従って定義され得ることに留意するべきである。図２は、上から下へのビューに表示された基本操作ページ例を例示する概略図を示す。表示が、垂直に、上部から下部に提示されるとき、基本操作ページ例２００は、ステータスバー２０２、ページタイトル／ナビゲーション領域２０４、ページコンテンツ領域２０６、及びページ操作領域２０８として定義され得る。ページ操作領域２０８は、基本操作ページ２００の下部に位置する。表示が、水平に、左から右に提示されるとき、基本操作ページは、ステータスバー、ページタイトル／ナビゲーション領域、ページコンテンツ領域、及びページ操作領域として定義され得る。ページ操作領域は、現在の基本操作ページの最も右に位置する。あるいは、右から左に、基本操作ページが、ステータスバー、ページタイトル／ナビゲーション領域、ページコンテンツ領域、及びページ操作領域として定義されてもよい。ページ操作領域は、現在の基本操作ページの最も左に位置する。どのような種類の定義手法が適用されても、それが、操作のための利便性をユーザに提供する及びフィードバックの利便性を向上する限り、基本操作ページのための特定の定義手法は、本開示によって限定されない。
【００４２】
１０６で、実時間操作のための対応するフィードバックページが起動され表示されるときに、実時間操作のためのフィードバックページが、端末デバイスの有効表示領域を参照することによって有効表示領域内に及びユーザが端末デバイスにおいて操作するのに適した適切な操作手法で、表示される。例えば、有効表示領域は、通常、携帯電話において小さい。現在の携帯電話は、一般に、水平表示と垂直表示との間の画面の切り換えをサポートするので、実時間操作のためのフィードバックページが生成されるときに、本技術は、実時間操作のための生成されたフィードバックページが、上から下へのビュー表示、左から右へのビュー表示、または右から左へのビュー表示の手法で実行されることを決定するために、携帯電話の現在の画面状態が、垂直である、すなわち、上から下へのビューに表示するか、あるいは水平である、すなわち、左から右へのビューまたは右から左へのビューに表示するかどうかを決定する。例えば、端末デバイスの有効表示領域が、上から下へのビューに表示されるときに、ユーザが端末デバイスにおいて操作するのに適した適切な操作手法が、有効表示領域の下部から有効表示領域の上部にポップアップすることによって、実時間操作のための対応するフィードバックページを表示することを含む。具体的には、そのページが、上から下へのビューに表示されるときに、通常、操作ページの下部においてページ下部操作領域がある。この場合において、ユーザが、端末デバイスを操作するのに適した適切な操作手法は、下部におけるページ操作領域から上部におけるページのヘッダへの方向に、実時間操作のための対応するフィードバックページを表示することである。詳細は、以下に記載されるような図７を参照し得る。
【００４３】
実施形態例において、１０６で、選択された操作項目及び対応するフィードバック領域が再びロードされるときに、そのようなプロセスが、実時間操作のためのフィードバックページ内にマスクをロードすることによって行われ、選択された操作項目と対応するフィードバック領域との間の対応する関係を強調する。例えば、選択された操作項目は、実時間操作のためのフィードバックページにおいて強調される。別の例の場合、識別または色変更が、フィードバック領域内にロードされる。例えば、操作項目の色は、フィードバック領域の色と同じであってもよい。実施形態例は、選択された操作項目とフィードバック操作領域との間の論理的なつながりを増強することを説明するマスクローディング方法だけを使用することに留意するべきである。それ故、本技術は、ユーザが、現在のフィードバック操作に関して一定の期待値を有することをもたらし、ユーザ経験を改善し、及びユーザが感じる感覚を増大させる。本技術は、マスクをロードする方法に限定されない。
【００４４】
例えば、以下の実施形態例において、実時間操作のためのフィードバックページにおける選択された操作項目及び対応するフィードバック領域が、互いに直接隣接する。これはまた、その２つの論理的なつながりを増強する方法である。当業者は、実時間操作のためのフィードバックページにおける選択された操作項目及び対応するフィードバック領域の領域が、適度に定義され得る限り、何の創造的な努力も無く、任意の他の代替の方法を適用し得る。その詳細は、本明細書において記載されない。マスクは、適用可能な方法の１つであることに留意する。
【００４５】
マスクがロードされるときに、選択された操作項目の位置情報は、実時間操作のためのフィードバックページにおいて定義され得る。換言すれば、操作項目をトリガするトリガ領域が、ページにおいてユーザに提供される。加えて、ページにおける操作に対応するフィードバック種類のフィードバック種類パラメータ及びページ構築データが、マスクにおける選択された操作項目とフィードバック領域との間のレイアウト関係を決定するために定義される。例えば、表示が垂直画面手法で提示されるときに、マスクのレイアウトは、上から下への方向に定義され得る。例えば、選択された操作項目のトリガ領域は、フィードバック領域のトリガ領域の上にある。加えて、レイアウトを定義するプロセスの間に、マスクのレイアウトが、フィードバック領域のサイズに従って再調整されてもよく、それ故、選択された操作項目と対応するフィードバック領域との間の位置関係を再調整する。その詳細は、本明細書において記載されず、以下の実施形態例を参照され得る。
【００４６】
以下の実施形態例は、どのようにマスクのレイアウトが処理されるかを説明する。図３は、最初のレイアウトが成功したレイアウトである実施例を例示する。図６は、最初のレイアウトが妥当ではなく再調整される必要がある、別の実施例を例示する。
【００４７】
図３は、本開示の第２の実施形態例に従ってマスクをロードすることを例示するフローチャートである。
【００４８】
３０２で、選択された操作項目の位置情報、ならびにページにおける様々な操作に対応するフィードバック種類のフィードバック種類パラメータ及びページ構築データが決定されて、ロードされたマスクのレイアウトが取得される。
【００４９】
例えば、ページにおける様々な操作に対応するフィードバック種類のフィードバック種類パラメータ及びページ構築データは、ページにおける様々な操作に対応するフィードバック種類に従って、自動的に決定され得る。上記したように、異なる操作に対応するフィードバック種類が、異なるフィードバック種類パラメータ及びページ構築データに対応し得る。特定の操作に対応するフィードバック種類が選択されると、それの対応するフィードバック種類パラメータ及びページ構築データが選択される。
【００５０】
選択された操作項目及び対応するフィードバック領域が、実時間操作のためのフィードバックページにおいて再びロードされる際、それは、どのように選択された操作項目が、実時間操作のためのフィードバックページにおいて再び定義されるかを決定することを必要とする。換言すれば、選択された操作項目の位置情報が、再び決定される。その一方で、選択された操作項目に対応するフィードバック領域が、ローディングを必要とする。換言すれば、マスクがロードされるときに、マスクのレイアウトは、実時間操作のためのフィードバックページにおける選択された操作項目及び対応するフィードバック領域を効果的に再びロードすることが考えられる必要がある。
【００５１】
３０４で、マスクは、選択された操作項目及び対応するフィードバック領域をそれぞれロードするために異なる領域に分割される。
【００５２】
例えば、表示が垂直画面手法で提示されるときに、マスクは、上から下への方向に分割され得る。選択された操作項目は、分割された領域の少なくとも１つにロードされ得る。その一方で、選択された操作項目の対応するフィードバック領域は、選択された操作項目の領域から一定の間隔を有する別の領域にロードされ得る。表示が水平画面手法で提示されるとき、選択された操作項目及びフィードバック領域の分割プロセスならびにローディングは、左から右への方向に従って、実行され得る。その詳細は、本明細書において記載されない。
【００５３】
３０６で、本技術が、フィードバック領域がマスクに位置する領域と、選択された操作項目がマスクに位置する領域との間の間隔が、予め決定されたマスク間隔値以上であることを決定するときに、ローディングプロセスが、フィードバック領域及び選択された操作項目の実際の領域にそれぞれ従って、実行される。
【００５４】
選択された操作項目及び対応するフィードバック領域をローディングするプロセスの間に、フィードバック領域がマスクに位置する領域と、選択された操作項目がマスクに位置する領域との間の間隔が、予め決定されたマスク間隔値以上であるときに、それは、対応するコンテンツ、例えば対応するサブの操作項目などまたはＩＭＥの入力領域のサイズがフィードバック領域において十分に表示され得るように、マスクにおけるフィードバック領域のレイアウト及びマスクにおける選択された操作のレイアウトが、妥当であることを示す。この場合において、レイアウトの再調整は必要ではなく、また、選択された操作項目及び対応するフィードバック領域が、マスクにおけるそれらの実際の領域に従って、直接的にロードされてもよい。その一方で、選択された操作項目が強調され得、及び／またはフィードバック領域の識別が、選択された操作項目と対応するフィードバック領域との間の論理的なつながりを強調するためにロードされ得る。
【００５５】
図４は、基本操作ページ例を例示する概略図である。図５は、実時間操作のためのフィードバックページ例を例示する概略図である。
【００５６】
トリガ操作が、基本操作のためにページコンテンツ領域における項目１のトリガ領域において操作されるとき、すなわち、項目１が選択された操作項目であるとき、選択された操作項目１及び対応するフィードバック領域が、実時間操作のための対応するフィードバックページにおいて再びロードされる必要がある。図５に示されるように、フィードバック領域がマスク内に位置する領域Ａと、選択された操作項目１がマスク内に位置する領域Ｂとの間の間隔が、予め決定されたマスク間隔値以上であることが決定されるとき、ローディングプロセスが、フィードバック領域及び選択された操作項目の実際の領域に従って、実行される。実際の実施態様において、選択された操作項目が、実際の操作のためにフィードバックページまたはそれのトリガ領域に位置する領域、及びフィードバック領域のトリガ領域は、操作項目と対応するフィードバックページとの間の論理的なつながりを明確に強調するために、異なる色を用いて処理され得る。
【００５７】
図６は、本開示の第３の実施形態例に従ってマスクをロードするプロセス例を例示するフローチャートである。
【００５８】
６０２で、選択された操作項目の位置情報、ならびにページにおける様々な操作に対応するフィードバック種類のフィードバック種類パラメータ及びページ構築データが決定されて、ロードされたマスクのレイアウトが取得される。
【００５９】
６０４で、マスクが、異なる領域に分割されて、選択された操作項目及び対応するフィードバック領域をそれぞれロードする。
【００６０】
６０２及び６０４における操作は、図３に参照され得、その詳細は、本明細書において記載されない。
【００６１】
６０６で、本技術が、フィードバック領域がマスク内に位置する領域と、選択された操作項目がマスク内に位置する領域との間の間隔が、予め決定されたマスク間隔値よりも小さいことを決定するときに、フィードバック領域が、実際のページサイズ要求に従って拡張されるように、ローディングプロセスの間に、マスクにおける選択された操作項目及び対応するフィードバック領域のそれらの領域が、有効表示領域の下部から上部に拡張する方向に再び調整される。
【００６２】
６０６の後、拡張の間に、本技術は、再調整後、選択された操作項目が実時間操作のためのフィードバックページ内に位置する領域と、対応するフィードバック領域が実時間操作のためのフィードバックページ内に位置する領域との間の予め決定されたマスク間隔値を維持し得る。あるいは、選択された操作項目が実時間操作のためのフィードバックページ内に位置する領域と、対応するフィードバック領域が実時間操作のためのフィードバックページ内に位置する領域とが、再調整後に互いに直接隣接する。
【００６３】
第２の実施形態例とは異なり、選択された操作項目及び対応するフィードバック領域がロードされるとき、フィードバック領域がマスクに位置する領域と、選択された操作項目がマスクに位置する領域との間の間隔が、予め決定されたマスク間隔値よりも小さい場合、それは、対応するコンテンツ、例えば対応するサブの操作項目などまたはＩＭＥの入力領域のサイズが、フィードバック領域内に十分に表示されることができないように、マスクにおけるフィードバック領域のレイアウト及びマスクにおける選択された操作のレイアウトが、妥当ではないことを示す。それ故、レイアウトの再調整が、マスクにおいてロードされた選択された操作項目及び対応するフィードバック領域を再調整するために必要とされる。
【００６４】
例えば、再び調整するプロセスが、有効表示領域の下部から上部に拡張する方向に従って、実行されてもよい。
【００６５】
選択された操作項目が実時間操作のためのフィードバックページ内に位置する領域と、対応するフィードバック領域が実時間操作のためのフィードバックページ内に位置する領域との間の間隔が、調整プロセスの間に予め決定されたマスク間隔値を維持し得る場合、本技術は、予め決定されたマスク間隔値として、選択された操作項目が実時間操作のためのフィードバックページ内に位置する領域と、対応するフィードバック領域が実時間操作のためのフィードバックページ内に位置する領域との間の間隔を維持する。例えば、ロードされたマスクは、選択された操作項目が実時間操作のためのフィードバックページ内に位置する領域と、対応するフィードバック領域が実時間操作のためのフィードバックページ内に位置する領域との間の間隔が、再調整後に予め決定されたマスク間隔値を維持することを可能にするのに十分な領域を有し得る。
【００６６】
選択された操作項目が実時間操作のためのフィードバックページ内に位置する領域と、対応するフィードバック領域が実時間操作のためのフィードバックページ内に位置する領域との間の間隔が、調整プロセスの間に予め決定されたマスク間隔値を維持する可能性が無い場合、及びフィードバック領域におけるコンテンツの量が、有効表示領域を超えない場合、選択された操作項目の領域は、再調整後、実時間操作のためのフィードバックページ内に対応するフィードバック領域に直接隣接して配置され得、それらは、異なる色によって表示され得る。
【００６７】
具体的には、選択された操作項目が実時間操作のためのフィードバックページ内に位置する領域と、対応するフィードバック領域が実時間操作のためのフィードバックページ内に位置する領域との間の間隔が、調整プロセスの間に予め決定されたマスク間隔値を維持する可能性が無い場合、及びフィードバック領域におけるコンテンツの量が、有効表示領域を超える場合、調整後、実時間操作のためのフィードバックページが有効表示領域全体を占めるように、実時間操作のためのフィードバックページ内の選択された操作項目の領域は、有効表示領域の上部に拡張され得、一方で、対応するフィードバック領域が上部に直接隣接して配置される。
【００６８】
図７は、実時間操作のための別のフィードバックページ例を例示する概略図である。トリガ操作が、基本操作のためのページコンテンツ領域における項目７のトリガ領域内で操作されるとき、すなわち、項目７が選択された操作項目であるとき、選択された操作項目７及び対応するフィードバック領域が、実時間操作のための対応するフィードバックページにおいて再びロードされる必要がある。図７に示されるように、フィードバック領域がマスク内に位置する領域Ａと、選択された操作項目がマスク内に位置する領域Ｂとの間の間隔が、予め決定されたマスク間隔値よりも小さいことが決定されるとき、ならびに再調整の間に、予め決定されたマスク間隔値が維持されることができない及びフィードバック領域におけるコンテンツの量が有効表示領域を超えるとき、マスクにおいてロードされた選択された操作項目及び対応するフィードバック領域が、ローディングの間に再び調整される。図５に示されるような実時間操作のためのフィードバックページとは異なり、タイトル領域の下の部分がフィードバック領域である間に、フィードバック領域が押し上げられるので、項目７が位置するトリガ領域が、ページの上部にあるタイトル領域まで押し上げられる。その一方で、フィードバック領域のその領域及び操作項目のその領域は、互いに直接隣接する。
【００６９】
図３及び６の上記実施形態例において、ページ操作領域が、実時間操作のためのフィードバックページ内に定義される際に、一般に、上から下への表示手法に関して、フィードバック領域は、ページ操作領域の上部限界から上部の方向に定義され得る。左から右への表示手法に関して、フィードバック領域は、ページ操作領域の右の限界から左の方向に定義され得る。
【００７０】
図８は、人間と機械の対話型の操作におけるフィードバックのための装置例８００を例示する図である。装置８００が、複数のモジュールを含み得る。装置のそれぞれは、ソフトウェア、ハードウェア、またはそれらの組み合わせの形態にあり得る。例えば、図８に示されるように、装置８００は、１以上の（複数の）プロセッサ８０２及びメモリ８０４を含み得る。メモリ８０４は、コンピュータで読み取り可能な媒体の実施例である。本明細書において使用される際、「コンピュータで読み取り可能な媒体」は、コンピュータ記憶媒体及び通信媒体を含む。コンピュータ記憶媒体が、例えばコンピュータで実行される命令、データ構造、プログラムモジュール、または他のデータなどの情報の記憶のために任意の方法あるいは技術に実装される揮発性及び不揮発性の、取り外し可能な及び取り外し不可能な媒体を含む。対照的に、通信媒体は、コンピュータで読み取り可能な命令、データ構造、プログラムモジュール、または変調データ信号、例えば搬送波などにある他のデータを具体化し得る。本明細書において定義されるように、コンピュータ記憶媒体は、通信媒体を含まない。メモリ８０４は、抽出モジュール８０６、構築モジュール８０８、及び中央処理モジュール８１０を含む複数のモジュールをその中に格納し得る。
【００７１】
抽出モジュール８０６は、ページにおける操作に対応する１以上のフィードバック種類の１以上のフィードバック種類パラメータ及びページ構築データを抽出して予め記憶する。
【００７２】
構築モジュール８０８は、ページにおける操作に対応するフィードバック種類のフィードバック種類パラメータ及びページ構築データに従って、同じフィードバックページテンプレートを使用することによって、ページにおける異なる操作に対応する実時間操作のための１以上のフィードバックページを構築する。
【００７３】
中央処理モジュール８１０は、基本操作ページにおける１以上の選択された操作項目を取得して、実時間操作のための対応するフィードバックページを起動して表示して、１以上の選択された操作項目及びそれらの対応するフィードバック領域を実時間操作のためのフィードバックページ内に再びロードする。
【００７４】
抽出モジュール８０６、構築モジュール８０８、及び中央処理モジュール８１０の詳細な操作は、図１及び３に示されるような実施形態例の内容に参照され得る。その詳細は、本明細書において記載されない。
【００７５】
図９は、人間と機械の対話型の操作におけるフィードバックのための別の装置例９００を例示する図である。装置９００は、１以上の（複数の）プロセッサ９０２及びメモリ９０４を含み得る。メモリ９０４は、複数のモジュールをその中に格納し得る。抽出モジュール９０６、構築モジュール９０８、中央処理モジュール９１０に加えて、複数のモジュールはまた、マスクローディングモジュール９１２を含み得る。
【００７６】
マスクローディングモジュール９１２は、実時間操作のためのフィードバックページ内にマスクをロードして、選択された操作項目及び対応するフィードバック領域を再びロードして、選択された操作項目と対応するフィードバック領域との間の対応する関係を強調する。
【００７７】
実施形態例において、マスクローディングモジュール９１２は、マスクが実時間操作のための操作ページにおいてロードされるとき、選択された操作項目の位置情報、ならびにページにおける操作に対応するフィードバック種類のフィードバック種類パラメータ及びページ構築データを決定して、ロードされたマスクのレイアウトを取得する。マスクローディングモジュール９１２は、マスクを異なる領域に更に分割して、ロードされたマスクのレイアウトが取得された後に、選択された操作項目及び対応するフィードバック領域をそれぞれをロードする。フィードバック領域が実時間操作のためのフィードバックページ内に位置する領域と、選択された操作項目が実時間操作のためのフィードバックページ内に位置する領域との間の間隔が、予め決定されたマスク間隔以上であるときに、ローディングプロセスが、フィードバック領域及び選択された操作項目の実際の領域に従って、実行される。そうではない場合、フィードバック領域が、実際のページサイズ要求に従って拡張され得るように、調整が、有効表示領域の下部から上部に拡張する方向に、実時間操作のためのフィードバックページ内の選択された操作項目及び対応するフィードバック領域のそれらの領域を再び調整することによって、実行される。それ故、調整後、フィードバック領域が実時間操作のためのフィードバックページ内に位置する領域と、選択された操作項目が実時間操作のためのフィードバックページ内に位置する領域との間の間隔は、予め決定されたマスク間隔値を維持し得る。あるいは、調整後、フィードバック領域が実時間操作のためのフィードバックページ内に位置する領域と、選択された操作項目が実時間操作のためのフィードバックページ内に位置する領域とは、互いに直接隣接して配置され得る。
【００７８】
実施形態例の構成要素は、ハードウェア、１以上のプロセッサによって実行されるソフトウェアモジュール、またはそれらの組み合わせのいずれかとして実装され得る。当業者は、マイクロプロセッサまたはデジタル信号プロセッサ（ＤＳＰ）が、本開示の上記実施形態例に従って、構成要素のいくつかもしくは全ての特徴のいくつかまたは全てを実装するために利用され得ることを理解し得る。本技術は、デバイスもしくは装置プログラムの一部、またはデバイスもしくは装置プログラム全体（例えばコンピュータプログラムもしくはコンピュータプログラム製品など）として更に実装され得る。本技術を実装するそのようなプログラムは、コンピュータで読み取り可能な媒体上に記憶されてもよいし、または１以上の信号を有する形式を有してもよい。そのような信号は、インターネット上のウェブサイトからダウンロードされ得、あるいは搬送信号または任意の他の方法によって提供され得る。
【００７９】
本明細書において使用される際、用語「一実施形態例」、「ある実施形態例」、または「１以上の実施形態例」は、特定の特徴、構造または特性が、本開示の実施形態例の少なくとも１つを含む記載のための実施形態と組み合わされることを示す。その上、用語「一実施形態例において」は、必ずしも同じ実施形態のことを言わないことに留意するべきである。
【００８０】
本明細書において提供された記載は、沢山の詳細を提供する。しかしながら、本開示の実施形態例は、これらの詳細無しで実施され得ることが理解される。いくつかの実施形態例において、いくつかの既知の方法、構造及び技術は、それらの記載の理解を分かりにくくすることを回避するために、詳細に記載されない。
【００８１】
上記実施形態例は、本開示を記載する目的のためのものであり、本開示に対する限定として解釈されるべきではなく、及び当業者は、添付の特許請求の範囲から逸脱すること無く、代替の実施形態を設計し得ることに留意するべきである。以下の特許請求の範囲において、丸括弧内の任意の参照記号は、特許請求の範囲に対する限定として解釈されるべきではない。用語「備える（ｃｏｍｐｒｉｓｅ）」、「備えている（ｃｏｍｐｒｉｓｉｎｇ）」、「備える（ｃｏｍｐｒｉｓｅｓ）」、「含む（ｉｎｃｌｕｄｅ）」、「含んでいる（ｉｎｃｌｕｄｉｎｇ）」、及び「含む（ｉｎｃｌｕｄｅｓ）」は、特許請求の範囲に列挙されていない任意の要素またはステップを除外するものではない。要素の前の用語「ある（ａ）」または「１つの（ｏｎｅ）」は、複数のそのような要素が存在することを除外するものではない。本開示は、多数の異なる要素を含むハードウェアの補助及び適切にプログラムされたコンピュータの補助を用いて実装され得る。多数の装置が列挙される特許請求の範囲において、装置のうちのいくつかは、ただ１つのハードウェア商品によって具体的に実現され得る。用語「第１の」、「第２の」、「第３の」などは、連続的な順番を示すものではない。これらの用語は、記載された主題の名前として解釈され得る。
【００８２】
その上、明細書において使用される文言は、本開示を解釈するまたは限定する目的のためのものではなくて、本開示を例示する及び導く目的のためのものであることに留意するべきである。したがって、多くの変形及び修正が、添付の特許請求の範囲及びそれの趣旨から逸脱すること無くなされ得ることは当業者に明らかである。本開示の開示は、本開示の範囲を限定する目的のためのものではなくて、説明する目的のためのものであり、それにおいて、それの範囲は、添付の特許請求の範囲によって決定される。
【図１】
2016518655.tif 000003
【図２】
2016518655.tif 000004
【図３】
2016518655.tif 000005
【図４】
2016518655.tif 000006
【図５】
2016518655.tif 000007
【図６】
2016518655.tif 000008
【図７】
2016518655.tif 000009
【図８】
2016518655.tif 000010
【図９】
2016518655.tif 000011
【国際調査報告】
2016518655.tif 000012
2016518655.tif 000013